(57)【特許請求の範囲】
【請求項１】
無線による電話機能と、各種の情報を作成する情報作成機能とを備え、電池により駆動される無線電話一体型携帯情報端末装置であって、
前記電話機能を有する無線通信手段と、
この無線通信手段における通話呼び出しを検出する通話呼出検出手段と、
前記情報作成機能を有する情報作成手段と、
この情報作成手段により作成された情報のデータを記憶する記憶手段と、
前記電池の電池残量を検出する電池残量検出手段と、を備え、
前記情報作成手段において前記記憶手段に未だ記憶されていない作成中のデータが存在し且つ前記通話呼出検出手段により通話呼び出しが検出されたとき、前記電池残量検出手段により電池の電池残量を検出し、この検出された電池残量が、前記記憶手段への作成中のデータの記憶と無線通信手段による通話の両方の処理を実行するに足る量であるときは、無線通信手段における通話呼び出しの通知を行うとともに記憶手段への作成中のデータの記憶を通話呼び出しの通知中及び通話中に行う一方、前記検出された電池残量が、無線通信手段による通話を行ったのでは記憶手段への作成中のデータの記憶を実行するに不足してしまう量であるときは、記憶手段への作成中のデータの記憶を行ったのち通話呼び出しの通知を行うことを特徴とする無線電話一体型携帯情報端末装置。
【請求項２】
無線による電話機能と、各種の情報を作成する情報作成機能とを備え、電池により駆動される無線電話一体型携帯情報端末装置であって、
前記電話機能を有する無線通信手段と、
この無線通信手段における通話呼び出しを検出する通話呼出検出手段と、
前記情報作成機能を有する情報作成手段と、
この情報作成手段により作成された情報のデータを記憶する記憶手段と、
前記電池の電池残量を検出する電池残量検出手段と、
前記情報作成手段において前記記憶手段に未だ記憶されていない作成中のデータを記憶手段に記憶する処理と、前記無線通信手段による通話のいずれを優先するかを選択する優先処理選択手段と、を備え、
前記情報作成手段において前記記憶手段に未だ記憶されていない作成中のデータが存在し且つ前記通話呼出検出手段により通話呼び出しが検出されたとき、前記電池残量検出手段により電池の電池残量を検出し、この検出された電池残量が、前記記憶手段への作成中のデータの記憶と無線通信手段による通話の両方の処理を実行するに足る量であるときは、無線通信手段における通話呼び出しの通知を行うとともに記憶手段への作成中のデータの記憶を通話呼び出しの通知中及び通話中に行う一方、前記検出された電池残量が、無線通信手段による通話を行ったのでは記憶手段への作成中のデータの記憶を実行するに不足してしまう量であるときは、前記優先処理選択手段により選択された処理を実行することを特徴とする無線電話一体型携帯情報端末装置。
【請求項３】
前記無線通信手段による無線電話での通話呼び出しの相手先電話番号を登録する電話番号登録手段と、
この電話番号登録手段により登録された電話番号に重要度を設定する電話番号重要度設定手段と、をさらに備え、
この電話番号重要度設定手段で設定された重要度に基づいて、前記通話呼出検出手段により通話呼出が検出された通話の相手先電話番号の重要度が判定され、この判定結果に基づいて前記優先処理選択手段の選択先が決定されることを特徴とする請求項２に記載の無線電話一体型携帯情報端末装置。
【請求項４】
前記情報作成手段により作成中のデータの重要度を設定するデータ重要度設定手段をさらに備え、
このデータ重要度設定手段で設定された重要度に基づいて前記優先処理選択手段の選択先が決定されることを特徴とする請求項２に記載の無線電話一体型携帯情報端末装置。
【請求項５】
前記無線通信手段による無線電話での通話呼び出しの相手先電話番号を登録する電話番号登録手段と、
この電話番号登録手段により登録された電話番号に重要度を設定する電話番号重要度設定手段と、
前記情報作成手段により作成中のデータの重要度を設定するデータ重要度設定手段と、をさらに備え、
この電話番号重要度設定手段で設定された重要度に基づいて、前記通話呼出検出手段により通話呼出が検出された通話の相手先電話番号の重要度が判定され、この判定結果及びデータ重要度設定手段で設定された重要度に基づいて前記優先処理選択手段の選択先が決定されることを特徴とする請求項２に記載の無線電話一体型携帯情報端末装置。
【発明の詳細な説明】
【０００１】
【産業上の利用分野】
本発明は、無線による電話機能と、各種の情報を作成する情報作成機能とを備え、電池により駆動される無線電話一体型携帯情報端末装置に関する。
【０００２】
【従来の技術】
従来の携帯情報端末装置では、データ作成中に無線電話に通話呼び出しを受けると、電池残量に関係なく通話を優先し、作成中のデータは保護されない。したがって、通話中に電池残量がなくなったときに作成中のデータを保存することができない。そのため、電池残量インジケーターによる表示や、電池交換またはＡＣ電源接続の音声による警告メッセージにて、使用者本意で管理または注意する必要がある。
【０００３】
また、特開平１１−６５９４８号公報には、電池残量検出手段が、データ保存のための無線通信できる電池残量の限界値を検出し、電池消耗を検出したときに通常の処理を中断し、データ保存を行う方法が開示されている。
【０００４】
【発明が解決しようとする課題】
上記した従来技術では、作成中のデータを保存するデータ量に応じて、電池残量を管理し、データ保存を行う。しかし、無線通信手段に電話機能がある場合、データ送信に必要な電池容量が十分にあっても、通話する時間により電池容量が不足する場合がある。
【０００５】
また、電池残量が作成中のデータの保存分の容量であるときに通話呼び出しを検出した場合、データ保存と通話のどちらを優先するかを選択できないため、重要なデータの保護ができなかったり、重要な電話を受けることができないといった問題が生じる。
【０００６】
本発明はこうした問題点を解決するためになされたもので、無線電話に通話呼び出しを受けたときに、電池残量が僅かになった場合に、作成中の重要なデータを確実に保存することができ、重要な電話を受け損なうことがない無線電話一体型携帯情報端末装置を提供することを目的とする。
【０００７】
【課題を解決するための手段】
上記の目的を達成するため、本発明は無線による電話機能と、各種の情報を作成する情報作成機能とを備え、電池により駆動される無線電話一体型携帯情報端末装置であって、前記電話機能を有する無線通信手段と、この無線通信手段における通話呼び出しを検出する通話呼出検出手段と、前記情報作成機能を有する情報作成手段と、この情報作成手段により作成された情報のデータを記憶する記憶手段と、前記電池の電池残量を検出する電池残量検出手段と、を備え、前記情報作成手段において前記記憶手段に未だ記憶されていない作成中のデータが存在し且つ前記通話呼出検出手段により通話呼び出しが検出されたとき、前記電池残量検出手段により電池の電池残量を検出し、この検出された電池残量が、前記記憶手段への作成中のデータの記憶と無線通信手段による通話の両方の処理を実行するに足る量であるときは、無線通信手段における通話呼び出しの通知を行うとともに記憶手段への作成中のデータの記憶を通話呼び出しの通知中及び通話中に行う一方、前記検出された電池残量が、無線通信手段による通話を行ったのでは記憶手段への作成中のデータの記憶を実行するに不足してしまう量であるときは、記憶手段への作成中のデータの記憶を行ったのち通話呼び出しの通知を行うことを特徴とする。
【０００８】
この発明によれば、電池残量が少ないときに通話呼び出しが検出された場合に、電池残量に応じた最適なデータ保存のタイミング、すなわち、呼び出し通知の待機中、または呼び出し通知中及び通話中にデータ保存をすることができる。
【０００９】
本発明は、無線による電話機能と、各種の情報を作成する情報作成機能とを備え、電池により駆動される無線電話一体型携帯情報端末装置であって、前記電話機能を有する無線通信手段と、この無線通信手段における通話呼び出しを検出する通話呼出検出手段と、前記情報作成機能を有する情報作成手段と、この情報作成手段により作成された情報のデータを記憶する記憶手段と、前記電池の電池残量を検出する電池残量検出手段と、前記情報作成手段において前記記憶手段に未だ記憶されていない作成中のデータを記憶手段に記憶する処理と、前記無線通信手段による通話のいずれを優先するかを選択する優先処理選択手段と、を備え、前記情報作成手段において前記記憶手段に未だ記憶されていない作成中のデータが存在し且つ前記通話呼出検出手段により通話呼び出しが検出されたとき、前記電池残量検出手段により電池の電池残量を検出し、この検出された電池残量が、前記記憶手段への作成中のデータの記憶と無線通信手段による通話の両方の処理を実行するに足る量であるときは、無線通信手段における通話呼び出しの通知を行うとともに記憶手段への作成中のデータの記憶を通話呼び出しの通知中及び通話中に行う一方、前記検出された電池残量が、無線通信手段による通話を行ったのでは記憶手段への作成中のデータの記憶を実行するに不足してしまう量であるときは、前記優先処理選択手段により選択された処理を実行することを特徴とする。
【００１０】
この発明によれば、予め、データ保存と通話の優先順位を設定することができるので、電池残量が少ないときに通話呼び出しが検出された場合、データ保存と通話のいずれを優先するか自動的に決定することができる。
【００１１】
本発明は、上記の無線電話一体型携帯情報端末装置において、前記無線通信手段による無線電話での通話呼び出しの相手先電話番号を登録する電話番号登録手段と、この電話番号登録手段により登録された電話番号に重要度を設定する電話番号重要度設定手段と、をさらに備え、この電話番号重要度設定手段で設定された重要度に基づいて、前記通話呼出検出手段により通話呼出が検出された通話の相手先電話番号の重要度が判定され、この判定結果に基づいて前記優先処理選択手段の選択先が決定されることを特徴とする。
【００１２】
この発明によれば、予め、呼び出し相手の電話番号に応じてデータ保存と通話の優先順位を設定することができるので、電池残量が少ないときに通話呼び出しが検出された場合、呼び出し相手の電話番号に応じて、データ保存と通話のいずれを優先するか自動的に決定することができる。
【００１３】
本発明は、上記の無線電話一体型携帯情報端末装置において、前記情報作成手段により作成中のデータの重要度を設定するデータ重要度設定手段をさらに備え、このデータ重要度設定手段で設定された重要度に基づいて前記優先処理選択手段の選択先が決定されることを特徴とする。
【００１４】
この発明によれば、予め、作成中のデータの重要度に応じてデータ保存と通話の優先順位を設定することができるので、電池残量が少ないときに通話呼び出しが検出された場合、作成中のデータの重要度に応じてデータ保存と通話のいずれを優先するか自動的に決定することができる。
【００１５】
本発明は、上記の無線電話一体型携帯情報端末装置において、前記無線通信手段による無線電話での通話呼び出しの相手先電話番号を登録する電話番号登録手段と、この電話番号登録手段により登録された電話番号に重要度を設定する電話番号重要度設定手段と、前記情報作成手段により作成中のデータの重要度を設定するデータ重要度設定手段と、をさらに備え、この電話番号重要度設定手段で設定された重要度に基づいて、前記通話呼出検出手段により通話呼出が検出された通話の相手先電話番号の重要度が判定され、この判定結果及びデータ重要度設定手段で設定された重要度に基づいて前記優先処理選択手段の選択先が決定されることを特徴とする。
【００１６】
この発明によれば、予め、呼び出し相手の電話番号及び作成中のデータの重要度に応じて、データ保存と通話の優先順位を設定することができるので、電池残量が少ないときに通話呼び出しが検出された場合、呼び出し相手の電話番号及び作成中のデータの重要度に応じて、データ保存と通話のいずれを優先するか自動的に決定することができる。
【００１７】
【発明の実施の形態】
以下、本発明の第１の実施の形態について図を参照して説明する。
【００１８】
本実施の形態の無線電話一体型携帯情報端末装置は、電話機能を有する無線通信手段１１と、この無線通信手段１１における通話呼び出しを検出する通話呼出検出手段２５と、各種の情報を作成する情報作成機能を有する情報作成手段１２と、この情報作成手段１２により作成された情報のデータを記憶する記憶手段１３と、電池の電池残量を検出する電池残量検出手段３２とから主要部が構成されている。
【００１９】
図１は、本発明の無線電話一体型携帯情報端末装置の一例を示したブロック図である。
【００２０】
無線通信手段１１は、電話機能を有しており、この実施の形態では無線電話装置で構成されている。
【００２１】
情報作成手段１２は、スケジュールや文書等のデータを作成できる情報作成装置を備えている。なお、無線電話装置と情報作成装置とは、個々に設ける必要はなく、両者が一体に構成されていても良い。
【００２２】
記憶手段１３は、不揮発性のメモリであって、この記憶手段１３により情報作成手段１２で作成されたスケジュールや文書等のデータを保存することができる。
【００２３】
図２は、無線電話装置のブロック図である。
【００２４】
送信手段２１はデータ送信の制御を行い、受信手段２２はアンテナ１０で受信されたデータの受信制御を行うものである。
【００２５】
無線電話制御手段２３は、音声データの変換及び補正、通話呼び出しの検出及び通知等、無線電話装置全般の制御及び情報端末装置インターフェース２４との制御を行っている。この無線電話制御手段２３には、無線通信手段１１における通話呼び出しを検出する通話呼出検出手段２５を備えている。
【００２６】
図３は、情報作成装置のブロック図である。
【００２７】
電池残量検出手段３２は、電池３１の電池残量を検出するためのものであって、電池３１に接続されている。この電池３１は、電池残量検出手段３２を介して情報作成制御手段３３により常に管理されている。情報作成制御手段３３は、キーボード、タブレット等の情報入力手段３４、無線電話装置インターフェース３５、作成したスケジュールや文書等を表示する表示手段３６の制御を行っている。
【００２８】
次に、本実施の形態の動作処理について、全体の流れを説明した後、図４のフローチャートを参照しながら説明する。
【００２９】
本実施の形態は、情報作成手段１２において記憶手段１３に未だ記憶されていない作成中のデータが存在し且つ通話呼出検出手段２５により通話呼び出しが検出されたとき、電池残量検出手段３２により電池の電池残量を検出し、この検出された電池残量が、記憶手段１３への作成中のデータの記憶と無線通信手段１１による通話の両方の処理を実行するに足る量であるときは、無線通信手段１１における通話呼び出しの通知を行うとともに記憶手段１３への作成中のデータの記憶を通話呼び出しの通知中及び通話中に行う一方、検出された電池残量が、無線通信手段１１による通話を行ったのでは記憶手段１３への作成中のデータの記憶を実行するに不足してしまう量であるときは、記憶手段１３への作成中のデータの記憶を行ったのち通話呼び出しの通知を行うものである。
【００３０】
図４において、情報作成手段１２に作成中のデータが存在すると（ステップＳ４１）、無線通信手段１１の通話呼び出しの検出待ちとなる（ステップＳ４２）。ここで通話呼び出しが検出されると、電池残量が確認される（ステップＳ４３）。
【００３１】
ステップＳ４３で電池残量がデータ保存と通話の両方の処理に十分な容量であると確認されると、無線通信手段１１から通話呼び出しの通知を行い（ステップＳ４４）、呼び出し通知中または通話中に作成中のデータを記憶手段１３に保存する（ステップＳ４５）。
【００３２】
またステップＳ４３で電池残量がデータ保存と通話の両方の処理をできない容量であると確認されると、通話呼び出しの通知を待機させ（ステップＳ４６）、作成中のデータを記憶手段１３に保存（ステップＳ４７）した後、通話呼び出しの通知を行う（ステップＳ４８）。
【００３３】
次に、本発明に係る無線電話一体型携帯情報端末装置の第２の実施の形態について、図５乃至図７を参照しながら説明する。
【００３４】
この実施の形態は、電話機能を有する無線通信手段１１と、無線通信手段１１における通話呼び出しを検出する通話呼出検出手段２５と、情報作成機能を有する情報作成手段１２と、情報作成手段１２により作成された情報のデータを記憶する記憶手段１３と、電池の電池残量を検出する電池残量検出手段３２と、情報作成手段１２において記憶手段１３に未だ記憶されていない作成中のデータを記憶手段１３に記憶する処理と、無線通信手段１１による通話にいずれを優先するかを選択する優先処理選択手段３７とから主要部が構成されている。
【００３５】
ここで、無線通信手段１１、通話呼出検出手段２５、情報作成手段１２、記憶手段１３、電池残量検出手段３２は、第１の実施の形態におけるものと同様であるので、説明を省略する。
【００３６】
優先処理選択手段３７は、図５に示すように情報作成制御手段３３に備えられている。図６は、通話とデータ保存の優先順位の設定を行うための設定画面である。本実施の形態では、表示手段３６に設定画面を表示し、情報入力手段３４で設定を行い、その内容が記憶手段１３に保存できるようになされている。
【００３７】
次に、本実施の形態の動作処理について、全体の流れを説明した後、図４及び図７のフローチャートを参照しながら説明する。
【００３８】
本実施の形態は、情報作成手段１２において記憶手段１３に未だ記憶されていない作成中のデータが存在し且つ通話呼出検出手段２５により通話呼び出しが検出されたとき、電池残量検出手段３２により電池の電池残量を検出し、この検出された電池残量が、記憶手段１３への作成中のデータの記憶と無線通信手段１１による通話の両方の処理を実行するに足る量であるときは、無線通信手段１１における通話呼び出しの通知を行うとともに記憶手段１３への作成中のデータの記憶を通話呼び出しの通知中及び通話中に行う一方、検出された電池残量が、無線通信手段１１による通話を行ったのでは記憶手段１３への作成中のデータの記憶を実行するに不足してしまう量であるときは、優先処理選択手段３７により選択された処理を実行するものである。
【００３９】
電池残量が多い場合は、図４のフローチャートのステップＳ４１からステップＳ４５までと同じであるが、電池残量が少ない場合は異なっており、ステップＳ４３とステップＳ４６との間に図７のフローチャートに示すステップを挿入した流れとなっている。
【００４０】
ステップＳ４３で電池残量がデータ保存と通話の両方の処理を動作できない容量であると確認すると、通話とデータ保存の優先順位を設定した内容を確認する（ステップＳ６１）。ステップＳ６１で確認した内容が通話優先の場合は通話呼び出しの通知（ステップＳ６２）を行い、データの保存を行わない。また、ステップＳ６１で確認した内容がデータ保存の場合は、図４のステップＳ４６の処理へ移り、前記したステップＳ４６からステップＳ４８の処理が行われ、データの保存を行う。
【００４１】
次に、本発明に係る無線電話一体型携帯情報端末装置の第３の実施の形態について、図８乃至図１０を参照しながら説明する。
【００４２】
この実施の形態は、第２の実施の形態において、無線通信手段１１による無線電話での通話呼び出しの相手先電話番号を登録する電話番号登録手段３８と、電話番号登録手段３８により登録された電話番号に重要度を設定する電話番号重要度設定手段３９と、をさらに備え、この電話番号重要度設定手段３９で設定された重要度に基づいて、通話呼出検出手段２５により通話呼出が検出された通話の相手先電話番号の重要度が判定され、この判定結果に基づいて優先処理選択手段３７の選択先が決定されることを特徴としている。優先処理選択手段３７、電話番号登録手段３８、電話番号重要度設定手段３９は、図８に示すように情報作成制御手段３３に備えられている。
【００４３】
図９は、登録した電話番号の重要度の設定を行うための設定画面である。本実施の形態では、表示手段３６に設定画面を表示し、情報入力手段３４で設定を行い、その内容が記憶手段１３に保存できるようになされている。
【００４４】
次に、本実施の形態の動作処理について、図４及び図１０のフローチャートを参照しながら説明する。
【００４５】
電池残量が多い場合は、図４のフローチャートのステップＳ４１からステップＳ４５までと同じであるが、電池残量が少ない場合は異なっており、ステップＳ４３とステップＳ４６との間に図１０のフローチャートに示すステップを挿入した流れとなっている。
【００４６】
ステップＳ４３で電池残量がデータ保存と通話の両方の処理を動作できない容量であると確認すると、通話呼び出しの相手の電話番号を認識可能であるかを確認する（ステップＳ８１）。ステップＳ８１で認識できない場合、図４のステップＳ４６の処理へ移り、前記したステップＳ４６からステップＳ４８の処理が行われ、データ保存を優先する。ステップＳ８１で認識が可能な場合、その電話番号が本発明の機器に登録されているかを確認する（ステップＳ８２）。
【００４７】
ステップＳ８２で番号の登録がない場合は、図４のステップＳ４６の処理へ移り、前記したステップＳ４６からステップＳ４８の処理が行われ、データ保存を優先する。ステップＳ８２で番号の登録がある場合は、登録番号の重要度について確認する（ステップＳ８３）。
【００４８】
ステップＳ８３で登録番号の重要度が低い場合、図４のステップＳ４６の処理へ移り、前記したステップＳ４６からステップＳ４８の処理が行われ、データ保存を優先する。ステップＳ８３で登録番号の重要度が高い場合、通話呼び出しの通知（ステップＳ８４）を行い、データの保存は行わない。
【００４９】
次に、本発明に係る無線電話一体型携帯情報端末装置の第４の実施の形態について、図１１乃至図１３を参照しながら説明する。
【００５０】
この実施の形態は、第２の実施の形態において、情報作成手段１２により作成中のデータの重要度を設定するデータ重要度設定手段４０をさらに備え、このデータ重要度設定手段４０で設定された重要度に基づいて優先処理選択手段３７の選択先が決定されることを特徴としている。
【００５１】
優先処理選択手段３７、データ重要度設定手段４０は、図１１に示すように情報作成制御手段３３に備えられている。図１２は、情報作成手段１２で作成中の文書の重要度の設定を行うための設定画面である。本実施の形態では、表示手段３６に設定画面を表示し、情報入力手段３４で設定を行い、その内容が記憶手段１３に保存できるようになされている（通常、本設定は文書作成前に行うものとする）。
【００５２】
次に、本実施の形態の動作処理について、図４及び図１３のフローチャートを参照しながら説明する。
【００５３】
電池残量が多い場合は、図４のフローチャートのステップＳ４１からステップＳ４５までと同じであるが、電池残量が少ない場合は異なっており、ステップＳ４３とステップＳ４６との間に図１３のフローチャートに示すステップを挿入した流れとなっている。
【００５４】
ステップＳ４３で電池残量がデータ保存と通話の両方の処理を動作できない容量であると確認すると、作成中のデータの重要度について確認する（ステップＳ１０１）。ステップＳ１０１でデータの重要度が低いと確認した場合、通話呼び出しの通知（ステップＳ１０２）を行い、データの保存は行わない。ステップＳ１０１でデータの重要度が高いと確認した場合、図４のステップＳ４６の処理へ移り、前記したステップＳ４６からステップＳ４８の処理が行われ、データ保存を優先する。
【００５５】
次に、本発明に係る無線電話一体型携帯情報端末装置の第５の実施の形態について、図１４及び図１５を参照しながら説明する。
【００５６】
この実施の形態は、第２の実施の形態において、無線通信手段１１による無線電話での通話呼び出しの相手先電話番号を登録する電話番号登録手段３８と、この電話番号登録手段３８により登録された電話番号に重要度を設定する電話番号重要度設定手段３９と、情報作成手段１２により作成中のデータの重要度を設定するデータ重要度設定手段４０と、をさらに備え、この電話番号重要度設定手段３９で設定された重要度に基づいて、通話呼出検出手段２５により通話呼出が検出された通話の相手先電話番号の重要度が判定され、この判定結果及びデータ重要度設定手段４０で設定された重要度に基づいて優先処理選択手段３７の選択先が決定されることを特徴としている。なお、電話番号登録手段３８、電話番号重要度設定手段３９、データ重要度設定手段４０及び優先選択手段３７は、第３及び第４の実施の形態におけるものと同様であって、情報作成制御手段３３に備えられている（図１４参照）。
【００５７】
次に、本実施の形態の動作処理について、図４及び図１５のフローチャートを参照しながら説明する。
【００５８】
電池残量が多い場合は、図４のフローチャートのステップＳ４１からステップＳ４５までと同じであるが、電池残量が少ない場合は異なっており、ステップＳ４３とステップＳ４６との間に図１５のフローチャートに示すステップを挿入した流れとなっている。
【００５９】
ステップＳ４３で電池残量がデータ保存と通話の両方の処理を動作できない容量であると確認すると、通話呼び出しの相手の電話番号を認識可能であるかを確認する（ステップＳ１１１）。ステップＳ１１１で認識ができない場合、図４のステップＳ４６の処理へ移り、前記したステップＳ４６からステップＳ４８の処理が行われ、データ保存を優先する。ステップＳ１１１で認識が可能な場合、その電話番号が本発明の機器に登録されているかを確認する（ステップＳ１１２）。
【００６０】
ステップＳ１１２で番号の登録がない場合は、図４のステップＳ４６の処理へ移り、前記したステップＳ４６からステップＳ４８の処理が行われ、データ保存を優先する。ステップＳ１１２で番号の登録がある場合は、登録番号の重要度について確認する（ステップＳ１１３）。
【００６１】
ステップＳ１１３で登録番号の重要度が低い場合、図４のステップＳ４６の処理へ移り、前記したステップＳ４６からステップＳ４８の処理が行われ、データ保存を優先する。ステップＳ１１３で登録番号の重要度が高い場合、作成中のデータが重要であるかを確認する（ステップＳ１１４）。
【００６２】
ステップＳ１１４で作成中のデータの重要度が低いと確認した場合、通話呼び出しの通知（ステップＳ１１５）を行い、データの保存は行わない。ステップＳ１１４でデータの重要度が高いと確認した場合、通話とデータ保存の優先順位を設定した内容を確認する（ステップＳ１１６）。
【００６３】
ステップＳ１１６で確認した内容が通話優先の場合は通話呼び出しの通知（ステップＳ１１５）を行い、データの保存を行わない。ステップＳ１１６で確認した内容がデータ保存の場合は、図４のＳ４６の処理へ移り、前記したステップＳ４６からステップＳ４８の処理が行われ、データ保存を行う。
【００６４】
【発明の効果】
以上に説明したとおり構成されるので、本発明によれば、電池残量が少ないときに通話呼び出しが検出された場合に、電池残量に応じた最適なデータ保存のタイミング、すなわち、呼び出し通知の待機中、または呼び出し通知中及び通話中にデータ保存をすることができる。したがって、データ保存が確実に行われた後、電池残量がある範囲で通話をすることが可能となる。
【００６５】
また、予め、データ保存と通話の優先順位を設定することができるので、電池残量が少ないときに通話呼び出しが検出された場合、データ保存と通話のいずれを優先するか自動的に決定することができる。したがって、データ保存と通話のいずれを優先するかについて自動で制御することが可能となる。
【００６６】
また、予め、呼び出し相手の電話番号に応じてデータ保存と通話の優先順位を設定することができるので、電池残量が少ないときに通話呼び出しが検出された場合、呼び出し相手の電話番号に応じて、データ保存と通話のいずれを優先するか自動的に決定することができる。したがって、通話呼び出しの相手に応じて、データ保存と通話のいずれを優先するかについて自動で制御することが可能となる。
【００６７】
また、予め、作成中のデータの重要度に応じてデータ保存と通話の優先順位を設定することができるので、電池残量が少ないときに通話呼び出しが検出された場合、作成中のデータの重要度に応じてデータ保存と通話のいずれを優先するか自動的に決定することができる。したがって、データの重要度に合わせて、データ保存と通話のいずれを優先するかについて自動で制御することが可能となる。
【００６８】
さらに、予め、呼び出し相手の電話番号及び作成中のデータの重要度に応じて、データ保存と通話の優先順位を設定することができるので、電池残量が少ないときに通話呼び出しが検出された場合、呼び出し相手の電話番号及び作成中のデータの重要度に応じて、データ保存と通話のいずれを優先するか自動的に決定することができる。したがって、データ保存と通話のいずれを優先するかについてきめこまかく制御することが可能となる。
【図面の簡単な説明】
【図１】本発明の無線電話一体型携帯情報端末装置の機器を示すブロック図である。
【図２】図１の無線通信手段を示すブロック図である。
【図３】図１の情報作成手段を示すブロック図である。
【図４】本発明の第１の実施の形態の動作処理を表すフローチャートである。
【図５】本発明の第２の実施の形態の情報作成手段を示すブロック図である。
【図６】本発明の第２の実施の形態の動作処理を設定する画面例である。
【図７】本発明の第２の実施の形態の動作処理を表すフローチャートである。
【図８】本発明の第３の実施の形態の情報作成手段を示すブロック図である。
【図９】本発明の第３の実施の形態の動作処理を設定する画面例である。
【図１０】本発明の第３の実施の形態の動作処理を表すフローチャートである。
【図１１】本発明の第４の実施の形態の情報作成手段を示すブロック図である。
【図１２】本発明の第４の実施の形態の動作処理を設定する画面例である。
【図１３】本発明の第４の実施の形態の動作処理を表すフローチャートである。
【図１４】本発明の第５の実施の形態の情報作成手段を示すブロック図である。
【図１５】本発明の第５の実施の形態の動作処理を表すフローチャートである。
【符号の説明】
１１  無線通信手段
１２  情報作成手段
１３  記憶手段
２１  送信手段
２２  受信手段
２３  無線電話制御手段
２４  情報端末装置インターフェース
２５  通話呼出検出手段
３１  電池
３２  電池残量検出手段
３３  情報作成制御手段
３４  情報入力手段
３５  無線電話装置インターフェース
３６  表示手段
３７  優先処理選択手段
３８電話番号登録手段
３９電話番号重要度設定手段
４０データ重要度設定手段
【図１】
0003693926.tif 000002
【図２】
0003693926.tif 000003
【図３】
0003693926.tif 000004
【図４】
0003693926.tif 000005
【図５】
0003693926.tif 000006
【図６】
0003693926.tif 000007
【図７】
0003693926.tif 000008
【図８】
0003693926.tif 000009
【図９】
0003693926.tif 000010
【図１０】
0003693926.tif 000011
【図１１】
0003693926.tif 000012
【図１２】
0003693926.tif 000013
【図１３】
0003693926.tif 000014
【図１４】
0003693926.tif 000015
【図１５】
0003693926.tif 000016